(57)【特許請求の範囲】
【請求項１】
一方側に親指挿通用の親指リングが構成されると共に他方側に刃部が構成されてなる動刃体と、一方側に小指掛部を有する薬指リングが構成されると共に他方側に刃部が構成されてなる静刃体とが、前記動刃体と前記静刃体とが開閉作動する際に双方の刃線が対向して略点接触するように該動刃体と該静刃体との連結部に設けられた透孔に挿通された螺子で連結されてなる理容・美容用鋏において、
前記小指掛部の一方側が前記薬指リングに螺着されてなり、
前記小指掛部の前記薬指リングへの螺着部を除く表面には弾性素材が被覆されてなり、
前記薬指リングに螺着される小指掛部は、他方側には縦方向にスリット部を有し、かつ、その外周に段差部を有してなり、
前記薬指リングへの前記小指掛部の螺着に際し、前記弾性素材は前記薬指リングと前記段差部とによって位置規制を受けて前記弾性素材の端部が前記薬指リングに弾接するよう構成され、前記弾性素材の端部が前記薬指リングに弾接しても他方側に後退することがないように、かつ、前記弾性素材が螺着時に空回りしないよう構成されてなる
ことを特徴とする理容・美容用鋏。
【請求項２】
薬指リングに取り付けられる前記小指掛部の構成がヒットポイント部にも構成されてなることを特徴とする請求項１の理容・美容用鋏。
【発明の詳細な説明】
【０００１】
【発明の属する技術分野】
本発明は理容・美容用鋏に関する。
【従来の技術】
理容・美容用鋏は、ヘアーカットスタイルあるいはカットヘアの性質、さらにはカット手順、同時に使用する櫛等の道具の用い方並びに種類等々によって、当該カット処理に当たって最適なものを理容師・美容師は、熟練した経験と感により入念に選定してカット処理に入っているのが現状である。
【０００２】
しかし、上記のように入念に選定された最適の理容、美容用鋏であっても、一日の内、カッティング動作を数千から数万回繰り返して使用すると、最初の段階では素晴らしい切れ味を示していても使用回数を重ねる毎に切れ味はどんどんと低下していく。そこで、応急の調整をしているのが常である。こうしたいわゆる日常の切れ味の調整は、従来の理容、美容用鋏２０（図３ａ、ｂを参照）では、動刃体２１と静刃体２２を連結した支点螺子２３の締め具合を適度にアジャストするこによって調節しているのが実情である。
【発明が解決しようとする課題】
然しながら、上記のような応急処置は、あくまでも使用中における切れ味の調節であって、一時的な処置であり、切れ味を長期間に渡って保つことは到底不可能である。
【０００３】
つまり、理容、美容用鋏２０の切れ味を長期的に保つには定期的にメーカ等に研ぎに出し、精密な切れ味の調整を施さなければ理容、美容用鋏２０本来の素晴らしい切れ味を取り戻すことはできない。
【０００４】
ところで、従来の理容、美容用鋏２０の構造は、一般的には、図３ａ及び図３ｂに示した如く、片側に親指挿通用の親指リング２１ａを設け、他側に刃部２１ｂを形成した動刃体２１と、片側に小指掛部２２−１ａ（固定式）、２２−２ｂ（螺子による着脱式）を配置した薬指リング２２ｂを設け、他側に刃部２２ｃを形成した静刃体２２を、動刃体２１と静刃体２２の刃線を接触させ、かつ両刃体２１、２２が開閉作動する際、双方の刃線が対向して略点接触するように連結させ、動刃体２１と静刃体２２の連結部に設けた透孔に支点螺子２３を挿通することにより動刃体２１と静刃体２２とを開閉作動させてヘアーをカットするように構成したものであり、メーカ等での精密な研ぎ作業では、支点螺子２３を取り外して動刃体２１と静刃体２２を分解して行っているのが実状である。
【０００５】
こうした場合、周知の通り図３ａに示した従来の理容、美容用鋏２０の静刃体２２の薬指リング２２ｂの外周に設けられている小指掛部２２−１ａ（固定式）は、構造的に薬指リング２２より突出させて固定的に形成したものであるから、メーカ等での精密な研ぎ作業時に、小指掛分波２２−１ａを取り外すことができず、従って精密な研ぎ作業に際してこの小指掛部２２−１ａの存在が非常に邪魔であり、作業の能率を上げることができないばかりか、高度の研ぎ作業が十分にできない等の問題があった。
【０００６】
また、図３ｂに示した従来の理容・美容用鋏２０の静刃体２２の薬指リング２２より外部に突出して取り付けられている小指掛部２２−１ｂ（着脱式）は、構造的に薬指リング２２に対して螺子付けされており、従って前述した図３ａの固定式の小指掛部２２−１ａに見られる取り外すことのできないことによる精密な研ぎ作業に際しての不都合は解消されてはいるが、着脱式の小指掛部２２−１ｂは、研ぎ作業に際してその都度取り外されるためこの小指掛部２２ａは、研ぎ作業等が頻繁に行われることにより小指掛部２２−１ｂの螺子部が次第に摩耗するために、カッティング処理中に小指掛部２２ａが次第に緩んでしまうこととなりカッティング処理が非常にし難く成ってしまう等の問題を有していた。
【０００７】
上記の問題を無くするために、図３ｂに示した従来の理容、美容用鋏２０では、薬指リング２２ｂと小指掛部２２−１ｂの螺子部に例えばスプリングワッシャ等を介在することでそうした緩みを防止するようにしているのが実状である。しかし、こうした構造は、小指掛部２２−１ｂの着脱作業が非常に煩雑であり、しかもスプリングワッシャが増えたコストアップになってしまい、また従来の小指掛部２２−１ｂは、金属製であったために小指に当たった感触が硬質で長時間のカッティング処理に当たって疲労感を誘う等の問題を有していた。
【０００８】
本発明は、前述した問題点に鑑みてなされたものであり、前記薬指リングに配置する小指掛部の表面に弾性素材を配置することで、使用する際、指に対するソフト感を与えると共に、鋏の研ぎ等のメンテナンスの際に、薬指リングより小指掛部を取り外し或いは取り付けるに当たって、容易に着脱することが可能で、しかも、薬指リングに小指掛部を螺着するに際し、突起の表面を覆った弾性素材の先端が薬指リングの外周に弾接することにより、使用中等において容易に脱落することが無く、更には小指に対するソフト感でもってカッティング処理における疲労を軽減できる理容・美容用鋏を提供することを目的とする。
【課題を解決するための手段】
本発明は以下の構成を採用する。
【０００９】
第１に、一方側に親指挿通用の親指リングが構成されると共に他方側に刃部が構成されてなる動刃体と、一方側に小指掛部を有する薬指リングが構成されると共に他方側に刃部が構成されてなる静刃体とが、前記動刃体と前記静刃体とが開閉作動する際に双方の刃線が対向して略点接触するように該動刃体と該静刃体との連結部に設けられた透孔に挿通された螺子で連結されてなる理容・美容用鋏において、
前記小指掛部の一方側が前記薬指リングに螺着されてなり、
前記小指掛部の他方側には段差部が構成されてなり、
前記小指掛部の前記薬指リングへの螺着部を除く表面には弾性素材が被覆されてなり、
前記薬指リングへの前記小指掛部の螺着に際し、前記弾性素材は前記薬指リングと前記段差部とによって位置規制を受けて前記弾性素材の端部が前記薬指リングに弾接するよう構成されてなる。
【００１０】
第２に、薬指リングに螺着される小指掛部は、他方側には縦方向にスリット部を有し、かつ、その外周に段差部を有してなり、
前記小指掛部の表面が弾性素材で被覆されてなり、
前記薬指リングへの前記小指掛部の螺着に際し、前記弾性素材が螺着時に空回りせず、かつ、前記弾性素材の端部が前記薬指リングに弾接しても他方側に後退することがないように構成されてなる。
【００１１】
第３に、薬指リングに取り付けられる前記小指掛部の構成がヒットポイント部にも構成されてなる。
【発明の実施の形態】
以下、図１、図２に基づいて本発明に係る理容・美容用鋏の一実施例を詳細に説明する。
【００１２】
理容、美容用鋏１は、片側に親指リング２を設け、他側に刃部３を形成した動刃体４と、片側に小指掛部５を有した薬指リング６を設け、他側に刃部７を形成した静刃体８を、双方の刃部３及び刃部７が対向してそれぞれの刃線３ａ及び刃線７ａのほぼ全体が点接触の状態で弾接（弾力性を持って接触）して開閉作動に応じて移動することが出来るように連結して構成されている。２ａは動刃体４と静刃体８の開閉動作に伴って親指リング２と薬指リング６が当接する位置に設けられたヒットポイント部である。
【００１３】
ところで、前記薬指リングに配置する小指掛部５は、薬指リング６に対して螺子付け可能に構成し、この螺子付け部５ａを除く他の表面５ｂを弾性素材５ｃで被覆し、薬指リング６に小指掛部５を螺着するに際し、小指掛部５の表面を覆った弾性素材５ｃの先端５ｃ−１が薬指リング６の外周に弾接するように構成するとともに、前記薬指リング６に配置する小指掛部５の構成は、図２に開示したごとく、螺子付け部５ａとは異なる側に縦方向にスリット部５ｄを有し、その外周に段差部５ｅを有し、その表面を弾性素材５ｃで被覆し、薬指リング６に小指掛部５を螺着するに際し、小指掛部５の表面を覆った弾性素材５ｃが螺子付け時に空回りすることもなく、弾性素材５ｃの先端５ｃ−１が薬指リング６の外周に弾接しても後方へずれることがないように構成する。
【００１４】
また、前記理容、美容用鋏１の支点螺子１０による動刃体４と静刃体８の連結は、両刃体４および８の対向するフラット加工面で連結することが出来、動刃体４と静刃体８の刃部３と刃部７の対向面には基端側から先端側に沿って裏隙（湾曲したカール空間）１１が施され、前記動刃体４と静刃体８は全体が閉じた状態において刃部３および刃部７で囲む部分の空間が超偏平な長楕円形状のスリットが形成されるように湾曲加工されている。
【００１５】
なお、本実施例における理容、美容用鋏１に採用する前述したヒットポイント部２aの構成は、使用中における緩みを防止するとともに、研ぎ等のメンテナンス作業に際し、分解する作業を容易にするために、前記小指掛部５の構成をそのまま採用する。
【００１６】
ところで、上記の薬指リング６に配置する小指掛部５や、ヒットポイント部２ａの表面を被覆する弾性素材５ｃは、螺子付け部５ａを除く全体が薄い皮膜状に加工処理されており、小指が触れても所定の弾性が感じられるように処理されている。
【００１７】
以下、上記の構成に基づいて本発明に係る理容、美容用鋏の特長とその作用を説明する。
【００１８】
本理容・美容用鋏１は、片側に親指挿通用の親指リングを設け、他側に刃部を形成した動刃体と、片側に小指掛部を配置した薬指リングを設け、他側に刃部を形成した静刃体を、動刃体と静刃体の刃線を接触させ、かつ、両刃体が開閉作動する際、双方の刃線が対向して略点接触するように連結させ、動刃体と静刃体との連結部に設けた透孔に支点螺子を挿通することにより動刃体と静刃体とを開閉作動させてヘアがカットされるように構成されている。そして、前記薬指リングに配置する小指掛部を薬指リングに対して螺子付け可能に構成し、この螺子付け部を除く他の表面を弾性素材で被覆し、薬指リングに小指掛部を螺着するに際し、突起の表面を覆った弾性素材の先端が薬指リングの外周に弾接するように構成されている。例えば、片側に親指リング２を設け、他側に刃部３を形成した動刃体４と、片側に小指掛部５を有した薬指リング６を設け、他側に刃部７を形成した静刃体８を、双方の刃部３及び刃部７が対向してそれぞれの刃線３ａ及び刃線７ａのほぼ全体が点接触の状態で弾接（弾力性を持って接触）して開閉作動に応じて移動することが出来るように連結して構成されており、しかも、前記薬指リングに配置する小指掛部５は、薬指リング６に対して螺子付け可能に構成し、この螺子付け部５ａを除く他の表面５ｂを弾性素材５ｃで被覆し、薬指リング６に小指掛部５を螺着するに際し、小指掛部５の表面を覆った弾性素材５ｃの先端５ｃ−１が薬指リング６の外周に弾接し、かつ弾性素材５ｃの小指掛部５に対する被覆は、螺子付け部５ａとは異なる側に設けられた縦方向のスリット部５ｄと、その外周に形成した段差部５ｅの表面に密着させて弾性素材５ｃを被覆している。
従って、薬指リング６に小指掛部５を螺着するに際し、小指掛部５の表面を覆った弾性素材５ｃが螺子付け時に空回りすることもなく、弾性素材５ｃの先端５ｃ−１が薬指リング６の外周に弾接しても後方へずれることが無く、しかも、小指掛部５の表面を被覆する弾性素材５ｃは、螺子付け部５ａを除く全体が薄い皮膜状に加工処理されており、小指が触れても所定の弾性が感じられるように処理されているから、長時間に渡ってカッティング作業を行っても従来の金属性の小指掛部５と異なり、疲労感も少なくカッティング処理をスムーズに実施することが可能である。
【発明の効果】
（１）  小指掛部の表面に弾性素材が配置されているから、使用時、指に対してソフト感を与える。従って、長時間に亘ってカッティング作業を行っても、従来の金属性の小指掛部と異なり、疲労感も少なく、カッティング処理をスムーズに実施できる。
（２）  小指掛部は着脱可能である。従って、前記［０００５］で述べた問題点が改善される。
（３）  小指掛部は、使用中等において、容易に脱落しない。
【図面の簡単な説明】
【図１】図１は、本発明に係る理容、美容用鋏の説明図
【図２】図２は、本発明に係る理容、美容用鋏の小指掛部の構造説明図
【図３】図３ａ及び図３ｂは、従来の理容、美容用鋏の構造説明図
【符号の説明】
１                理容、美容用鋏
２                親指リング
２ａ              ヒットポイント部
３                刃部
３a               刃線
４                動刃体
４a               螺子孔
５                小指掛部
５ａ              螺子付け部
５ｂ              他の表面
５ｃ              弾性素材
５ｃ−１          先端
５ｄ              スリット部
５ｅ              段差部
６                薬指リング
７                刃部
７ａ              刃線
８                静刃体
１０              支点螺子（支点螺子）
１１              裏隙（湾曲したカール空間）
【図１】
0004582557.tif 000002
【図２】
0004582557.tif 000003
【図３】
0004582557.tif 000004